(57)【要約】【課題】ヒップ部分と下腹部分と腰周りの体形補正を効果的に行え、しかも着用状態において窮屈感を軽減できる伸縮性素材のパンツを提供する。【解決手段】伸縮性生地で形成されるパンツ本体１と、パンツ本体１の内側に配置されるガードル２とを備えている。ガードル２は、前身頃８および左右一対の後見頃９と、前身頃８および後見頃９のウエスト部分２ａに沿って配置されて、下腹および腰周りを押さえ込み補正する第１補正体１１および第２補正体１２と、後見頃９の下部に配置されて、ヒップ部分を持ち上げ補正する第３補正体１３とからなる。ガードル２のウエスト部分２ａをパンツ本体１のウエスト部分４に縫着して、ガードル２をパンツ本体１と一体化する。各補正体１１〜１３は、ガードル２の素材生地に比べて低伸縮で高弾力のメッシュ生地で形成する。【選択図】図３
0003127848.tif 000002
【実用新案登録請求の範囲】
【請求項１】
パンツ本体（１）と、パンツ本体（１）の内側に配置されるガードル（２）とを備えているパンツであって、
ガードル（２）は、前身頃（８）および左右一対の後見頃（９・９）と、前身頃（８）および後見頃（９・９）のウエスト部分（２ａ）に沿って配置されて、下腹および腰周りを押さえ込み補正する第１補正体（１１）および第２補正体（１２）と、後見頃（９・９）の下部に配置されて、ヒップ部分を持ち上げ補正する第３補正体（１３）とを含み、
ガードル（２）のウエスト部分（２ａ）を、パンツ本体（１）のウエスト部分（４）に縫着して、ガードル（２）がパンツ本体（１）と一体化してあるパンツ。
【請求項２】
第１補正体（１１）、第２補正体（１２）、および第３補正体（１３）のそれぞれが、ガードル（２）の素材生地に比べて低伸縮で高弾力のメッシュ生地で形成されており、
第１補正体（１１）が、前身頃（８）の股部分の上方を腰周り方向へ横断する状態で前身頃（８）に縫着されており、
第２補正体（１２）が、第１補正体（１１）に連続して後見頃（９・９）の上方を腰周り方向へ横断する状態で後見頃（９・９）に縫着されており、
第３補正体（１３）が、後見頃（９・９）の股部分から斜め上向きに傾く状態で後見頃（９・９）に縫着してある請求項１記載のパンツ。
【考案の詳細な説明】
【技術分野】
【０００１】
本考案は、パンツ内部に体形補正用のガードルが設けてあるパンツに関する。
【背景技術】
【０００２】
ガードルなどの体形補正具が縫着してあるパンツに関して、いくつかの提案がある（特許文献１〜５参照）。この種の体形補正具には、補正用の生地パーツをパンツ本体に直接縫着する形態（特許文献２、３、５）と、ショーツ状に形成したガードルをパンツ本体に縫い止める形態（特許文献１、４）とがある。後者形態のパンツに関して、本出願人は類似構造のパンツを先に提案している（特許文献６）。
【０００３】
【特許文献１】登録実用新案第３０２１０６８号公報（段落番号００１１、図３）
【特許文献２】登録実用新案第３００８６１６号公報（段落番号００１３、図１）
【特許文献３】特許第２８９８２２５号公報（段落番号００４７、図１）
【特許文献４】特許第２７９４６２６号公報（段落番号００１２、図１）
【特許文献５】特開２００３−２６８６０６号公報（段落番号００１４、図２）
【特許文献６】登録実用新案第３１０９１２３号公報（段落番号００１５、図２）
【考案の開示】
【考案が解決しようとする課題】
【０００４】
補正用の生地パーツをパンツ本体に直接縫着するパンツは、補正用の生地パーツとパンツ本体の生地パーツとを同時に縫着する必要があるので、縫着に多くの手間と時間が掛かる。とくに特許文献２にみられるように、多種類の補正用生地パーツを使用する場合には、パーツ数が多い分だけ多くの手間を要し、パンツの製造コストが高く付く。この点、ショーツ状に形成したガードルをパンツ本体に縫着固定するパンツの場合には、ガードルとパンツ本体との縫着個所がウエストまわりや股裏部分に限られるので、縫着の手間を軽減できる。
【０００５】
例えばジャージーパンツに代表される伸縮性素材のパンツは、その素材生地自体が伸縮性を備えており、ヒップ部分や太股部分に密着するものの、体型線を補正するには至らない。生地の伸縮する方向と、体形補正に必要な力（補正力）の方向とが、必ずしも一致しないからである。そのため、補正用生地パーツをパンツ本体に直接縫着する場合には、ジャージー生地の弾性力と補正用生地パーツの補正力とが拮抗して、体型の補正を効果的に行えないことがある。
【０００６】
この点、ショーツ状に形成したガードルをパンツ本体に縫着固定するパンツの場合には、ガードルによって生じる補正力を、ジャージー生地の弾性力から独立した状態で着用部位に作用させることができるので、体形補正を効果的に行える。このことは、補正用生地パーツの素材として、低伸縮で高弾力の生地を使用する必要がないことを意味し、したがってパンツを着用した状態においてガードルによる窮屈感を抑止できることになる。
【０００７】
特許文献１のパンツは、ガードルの後ろ側に帯状の補正用生地パーツを縫着して、ヒップ部分を持ち上げ補正できるようになっている。しかし、下腹部の体形補正作用をガードルのみで行うので、その形成生地として低伸縮で高弾力の生地を使用する必要があり、着用時の窮屈感を避けられない。着用を容易化するためのスライドファスナーが、ガードルの一側に設けてあることも、低伸縮で高弾力の生地でガードルが形成してあることを予想させる。特許文献４のパンツは、ヒップ部分を持ち上げ補正するための生地パーツすら備えておらず、ヒップ部分および下腹部の体形補正をガードルのみに頼っている。
【０００８】
特許文献６のパンツは、着用時の窮屈感を軽減しながら、ヒップ部分および下腹部分の体形補正を行える。また、ガードルに縫着される第１・第２の両補正体の構造を簡素化できるので、その分だけパンツの製造コストを削減できる利点もある。しかし、腰周りの体形を補正することに関して、ガードルの前身頃の前面中央に逆台形状の第１補正体を縫着するだけであるため、下腹部分を押さえ込むことはできるものの、他の部分はガードルで押さえる以外になく、腰周りの体形補正を充分に行えない点に改善の余地があった。
【０００９】
本考案の目的は、全体構造が簡単であるにもかかわらず、ヒップ部分と下腹部分の体形補正に加えて、腰周りの体形補正をも効果的に行えるパンツ、なかでも伸縮性素材で形成してあるパンツを提供することにある。
【課題を解決するための手段】
【００１０】
請求項１記載の本考案に係るパンツは、パンツ本体１と、パンツ本体１の内側に配置されるガードル２とを備えている。ガードル２は、前身頃８および左右一対の後見頃９・９と、前身頃８および後見頃９・９のウエスト部分２ａに沿って配置されて、下腹および腰周りを押さえ込み補正する第１補正体１１および第２補正体１２と、後見頃９・９の下部に配置されて、ヒップ部分を持ち上げ補正する第３補正体１３とを含む。以て、ガードル２のウエスト部分２ａを、パンツ本体１のウエスト部分４に縫着して、ガードル２をパンツ本体１と一体化する。
【００１１】
請求項２記載の本考案では、第１補正体１１、第２補正体１２、および第３補正体１３のそれぞれを、ガードル２の素材生地に比べて低伸縮で高弾力のメッシュ生地で形成する。第１補正体１１は、前身頃８の股部分の上方を腰周り方向へ横断する状態で前身頃８に縫着する。第２補正体１２は、第１補正体１１に連続して後見頃９・９の上方を腰周り方向へ横断する状態で後見頃９・９に縫着する。第３補正体１３は、後見頃９・９の股部分から斜め上向きに傾く状態で後見頃９・９に縫着する。
【考案の効果】
【００１２】
請求項１記載の本考案では、ガードル２のウエスト部分２ａに沿って下腹を押さえ込み補正し、同時に腰周りを押さえ込み補正する第１補正体１１と第２補正体１２を縫着し、さらに、後見頃９にヒップ部分を持ち上げ補正する第３補正体１３を縫着した。そのうえで、ガードル２のウエスト部分２ａをパンツ本体１のウエスト部分４に縫着することによって両者１・２を一体化するので、補正用生地パーツがパンツ本体に直接縫着してあるパンツに比べて、パンツの全体構造を簡素化して縫製に要する手間を省くことができる。また、着用状態においてパンツ本体１の形成生地の弾性力に影響されることなく、ガードル２および両補正体１１・１２で体形補正を適正にしかも効果的に行え、補正用生地パーツがパンツ本体に直接縫着してあるパンツに比べて、着用状態におけるガードル２の窮屈感を軽減できる。各補正体１１〜１３によって、下腹とヒップ部分はもちろん、腰周りをも効果的に押さえ込み補正して骨盤を安定させ、腰周りを細く見せることができる。
【００１３】
請求項２記載の本考案によれば、各補正体１１〜１３のそれぞれをガードル２の素材生地に比べて低伸縮で高弾力のメッシュ生地で形成し、第１補正体１１で下腹を押さえ込み補正し、第１・第２の両補正体１１・１２の協同作用で腰周りを押さえ込み補正でき、さらに第３補正体１３でヒップ部分を持ち上げ補正できるので、ガードル２のみで体形補正を行う形式に比べて、より大きな補正力を下腹部と腰周りとヒップ部分とに作用させて、効果的な体形補正を行うことができ、体形補正が不要な個所に補正力が作用するのを避けながらパンツ着用時の窮屈感を抑止できる。
【考案を実施するための最良の形態】
【００１４】
（実施例）  図１ないし図５は本考案に係るパンツの実施例を示しており、ジャージー生地で形成されるパンツ本体１と、パンツ本体１の内側に縫い止められるガードル２とを備えている。パンツ本体１は、前身頃と後身頃との内脇縁どうし、および外脇縁どうしをそれぞれ縫着して、それぞれ筒状の左右一対の脚部パーツ３・３を形成し、両脚部パーツ３・３の上部前縁、股裏、上部後縁に沿って、両脚部パーツ３・３を縫着することにより一体化し、さらにウエスト部分４を折り返したうえで、折り返し部と、そこに内包したゴムベルト５とを縫い止めて構成してある。図２において両脚部パーツ３・３の外脇縁には、それぞれパイピング６を縫着してある。
【００１５】
図３および図４においてガードル２は、前身頃８と、左右一対の後身頃９・９と、前身頃８および後見頃９・９のウエスト部分２ａに沿って配置されて、下腹および腰周りを押さえ込み補正する第１補正体１１および第２補正体１２と、後見頃９・９の下部に配置されて、ヒップ部分を持ち上げ補正する第３補正体１３と、ガードル２の股部分に縫着される補強片１４とで構成する。
【００１６】
前身頃８および後身頃９は、それぞれ伸縮性を有する薄手の伸縮生地で形成するが、パンツ本体１を構成するジャージー生地に比べて、弾性が大きく伸縮性が僅かに小さな薄手の弾性生地で形成する。
【００１７】
第１補正体１１と、第２補正体１２と、第３補正体１３は、それぞれ前身頃８および後身頃９の形成生地に比べて、さらに弾性が大きく伸縮性が小さなメッシュ生地、例えばパワーネットで形成する。このように、各補正体１１〜１３をメッシュ生地からなるパワーネットで形成すると、前身頃８および後身頃９による体形補正機能を増強しながら、通風性を向上できる。
【００１８】
第１補正体１１および第２補正体１２は、前身頃８および後見頃９のウエスト部分２ａに沿って配置されて、下腹および腰周りを押さえ込み補正するために設けてある。第１補正体１１は、ウエスト部分２ａと前身頃８の股部分の上方との間に配置されて、前身頃８を腰周り方向へ横断しており、その周縁を縫着することにより前身頃８と一体化してある。第２補正体１２は、第１補正体１１の両側端に連続して後見頃９の上方を腰周り方向へ横断しており、その周縁を縫着することにより後見頃９と一体化してある。第１補正体１１は、主として下腹を押さえ込み補正するが、同時に第２補正体１２と協同して腰周りを押さえ込み補正して骨盤を安定させ、腰周りを細く見せる。図３および図４において、第１補正体１１および第２補正体１２の上下方向の伸縮率は、左右方向の伸縮率に比べて充分に大きい。
【００１９】
第３補正体１３は、ヒップ部分を持ち上げ補正するために設けられており、後見頃９の股部分から斜め上向きに傾く状態で後見頃９に縫着してある。第３補正体１３の両端上隅は、第１補正体１１と第２補正体１２の隣接端の下部に隣接させてある。図４において、第３補正体１３の矢印ａ方向の伸縮率は、矢印ｂ方向の伸縮率に比べて充分に大きい。なお、補強片１４は、股部分の生地の補強、および下着なしで着用できるように綿素材で形成してある。
【００２０】
ガードル２のウエスト部分２ａは、パンツ本体１のウエスト部分４に縫着する。詳しくは、図５に示すようにガードル２のウエスト部分２ａを、パンツ本体１のウエスト部分４の折り返し部と、そこに内包したゴムベルト５との間に挟み込んで、これらを同時に縫着する。さらに折り返し部の下縁を内側に折り込んで、パンツ本体１とウエスト部分２ａとを縫着する。ウエスト部分２ａを縫着する上下の縫着糸を符号１６・１７で、第１・第２の補正体１１・１２の縫着糸を符号１８で示す。
【００２１】
上記構成のパンツによれば、ガードル２にパワーネットからなる第１〜第３の各補正体１１〜１３を縫着するので、ヒップ部分の体形補正を行いながら、同時に下腹と腰周りの体形補正をも効果的に行うことができる。着用状態においては、ガードル２、および各補正体１１〜１３によって生じる補正力を、パンツ本体１のジャージー生地の弾性力から独立した状態で着用部位に作用させることができるので、ガードル２の全体を低伸縮で高弾力の生地で形成する場合に比べて、着用時の窮屈感を軽減できる。
【００２２】
メッシュ生地で形成した各補正体１１〜１３によって体形補正を行うので、着用時の通気性を確保しながら体形補正を行え、パンツ着用時の蒸れを防止できる利点もある。パンツ本体１とガードル２とを個別に縫製しておき、両者１・２のウエスト部分４・２ａどうしを縫着して一体化するので、体形補正用の生地パーツをパンツ本体１に直接縫着する場合に比べて、パンツ１の全体構造が簡素化し、その分だけパンツの製造に要するコストを削減できる。体形補正用の生地パーツを固定するための縫着線が表に現れることもない。
【００２３】
上記の実施例以外に、パンツ１を脱ぐ際のガードル２のめくれ上がりを防ぐために、ガードル２を構成する脚部パーツの外脇縫目の下端を、帯状の生地、あるいは細い紐からなる規制体を介してパンツ本体１に止め付けることができる。各補正体１１〜１３は、実施例に示した形状である必要はない。上記の実施例では、前身頃８および後見頃９が脚部分を一体に備えている実施例を示したが、脚部分は前身頃８および後見頃９と別パーツとして形成することができる。
【図面の簡単な説明】
【００２４】
【図１】パンツの正面図である。
【図２】パンツの上部側面図である。
【図３】ガードルの正面図である。
【図４】ガードルの背面図である。
【図５】パンツとガードルの縫着部の断面図である。
【符号の説明】
【００２５】
１  パンツ本体
２  ガードル
２ａ  ガードルのウエスト部分
４  パンツ本体のウエスト部分
８  ガードルの前身頃
９  ガードルの後身頃
１１  第１補正体
１２  第２補正体
１３  第３補正体
【図１】
0003127848.tif 000003
【図２】
0003127848.tif 000004
【図３】
0003127848.tif 000005
【図４】
0003127848.tif 000006
【図５】
0003127848.tif 000007